(57)【要約】【課題】所望の深さ位置に存在する土を簡易かつ確実にサンプリングすることができる土サンプリング装置を提供する。【解決手段】  ロッド部５と細軸部６とオーガ７と筒体８、そして、ピン１１、斜面１１ａ，１３ａ、内向き張出し部１４が備えられている土サンプリング装置４で、スウェーデン式サウンディング試験機の連結ロッドに連結可能である。【選択図】      図１
2005282138.tif 000002
【特許請求の範囲】
【請求項１】
ロッド部と、
該ロッド部よりも細く、ロッド部の先端中心部に先端方向に延びるようにロッド部に一体的に設けられた細軸部と、
該細軸部に備えられたオーガと、
ロッド部の外周サイズよりも大きい外周サイズで、細軸部の外周サイズよりも大きな内周サイズを備え、細軸部の外周側とロッド部の外周側とを行き来可能に外装された筒体と、
該筒体が細軸部の外周側からロッド部の外周側へ移動するのを規制する第１ストッパーと、
該第１ストッパーによる規制をロッド部の動きで解除する解除手段と、
筒体が細軸部の外周側から先端方向に抜けるのを規制する第２ストッパーと、
が備えられていることを特徴とする土サンプリング装置。
【請求項２】
スウェーデン式サウンディング試験機の連結ロッドに連結可能である請求項１に記載の土サンプリング装置。
【請求項３】
スウェーデン式サウンディング試験機の連結ロッドに連結可能で、該連結ロッドに連結して土のサンプリングを行うことができるようになされていることを特徴とする土サンプリング装置。
【発明の詳細な説明】
【技術分野】
【０００１】
本発明は、土サンプリング装置に関する。
【背景技術】
【０００２】
住宅用などの敷地の地盤調査を、スウェーデン式サウンディング試験機を用いて行うことがあるが、土質の判定は、サンプリングを行わず、貫入時の音などを頼りに試験者が判断することが多い。しかし、深度方向の土をサンプリングして土質判定を行う必要がある場合もある。
【発明の開示】
【発明が解決しようとする課題】
【０００３】
本発明は、上記のような要請に鑑み、所望の深さ位置に存在する土を簡易かつ確実にサンプリングすることができる、土サンプリング装置を提供することを課題とする。
【課題を解決するための手段】
【０００４】
上記の課題は、ロッド部と、
該ロッド部よりも細く、ロッド部の先端中心部に先端方向に延びるようにロッド部に一体的に設けられた細軸部と、
該細軸部に備えられたオーガと、
ロッド部の外周サイズよりも大きい外周サイズで、細軸部の外周サイズよりも大きな内周サイズを備え、細軸部の外周側とロッド部の外周側とを行き来可能に外装された筒体と、
該筒体が細軸部の外周側からロッド部の外周側へ移動するのを規制する第１ストッパーと、
該第１ストッパーによる規制をロッド部の動きで解除する解除手段と、
筒体が細軸部の外周側から先端方向に抜けるのを規制する第２ストッパーと、
が備えられていることを特徴とする土サンプリング装置によって解決される（第１発明）。
【０００５】
この装置は、地面に、サンプリングしようとする深さ位置まで下孔を明けておき、その下孔を利用して土のサンプリングを行うタイプに構成されている場合は、第１ストッパーで筒体を細軸部の外周側に保持した状態にして、ロッド部を誘導し、先端側を、サンプリングしようとする深さ位置まで下孔の奥方に挿入し、その深さ位置で、筒体の外周部を周囲の土で摩擦保持状態にする。しかる後、ロッド部を動かして第１ストッパーを解除し、ロッド部を回転させながら更に圧入していくと、先端側の細軸部とオーガが、筒体を残したまま更に深く進出していく。所定の深さまで進出させた後、ロッド部を引いていくと、オーガは上の土を連れて上昇していき、その土を筒体の中に収容していく。収容後、更にロッド部を引いていくと、第２ストッパーが効き、ロッド部が筒体を連れて地上に取り出され、筒体内に収容された土を取得することができる。
【０００６】
なお、筒体に、地面に孔を明ける機能が備えられていてもよく、その場合には、下孔を明ける工程を省略してもよい。
【０００７】
このように、上記の土サンプリング装置によれば、ロッド部を誘導操作していくだけで所望の深さ位置に存在する土を簡易にサンプリングすることができる。
【０００８】
しかも、筒体が備えられ、所望の深さ位置に存在する土を筒体内に収容してサンプリングするようになされているので、サンプリング中に他の土が混ざることがなく、所望の深さ位置に存在する土を確実にサンプリングすることができる。
【０００９】
加えて、第１ストッパー、その解除手段、及び第２ストッパーを連携されて、土をうまい具合にサンプリングし筒体内に収容することができる。
【００１０】
上記の装置において、スウェーデン式サウンディング試験機の連結ロッドに連結可能である場合（第２発明）は、スウェーデン式サウンディング試験機で下孔を明けた後、試験機のスクリューポイントを本発明装置と交換して、所望の深さ位置に存在する土のサンプリングを行うことができ、試験と併せてサンプリングを簡易に行っていくことができる。
【００１１】
また、本発明は、スウェーデン式サウンディング試験機の連結ロッドに連結可能で、該連結ロッドに連結して土のサンプリングを行うことができるようになされていることを特徴とする土サンプリング装置も内容とする（第３発明）。この装置では、スウェーデン式サウンディング試験機で下孔を明けた後、試験機のスクリューポイントを本発明装置と交換して、所望の深さ位置に存在する土のサンプリングを行うことができ、試験と併せてサンプリングを簡易に行っていくことができる。
【発明の効果】
【００１２】
本発明は、以上のとおりのものであるから、所望の深さ位置に存在する土を簡易かつ確実にサンプリングすることができる。
【発明を実施するための最良の形態】
【００１３】
次に、本発明の実施最良形態を図面に基づいて説明する。
【００１４】
図１及び図２に示す実施形態の土サンプリング装置は、図５に示すようなスウェーデン式サウンディング試験機１のスクリューポイント２を連結ロッド３から取り外し、該連結ロッド３に取り付けて用いることができるようになされたもので、図１及び図２に示す装置４において、５はロッド部であり、ロッド部５の先端中心部には、ロッド部５よりも細い所定の長さ寸法の細軸部６が先端方向に延びるようにして一体的に備えられており、該細軸部６の先端部にオーガ７が備えられ、筒体８が、細軸部６の外周側とロッド部５の外周側とを行き来可能に外装されている。
【００１５】
筒体８は、外周サイズがロッド部５の外周サイズよりも大きく設計されていて、筒体８がロッド部５に優先して土の摩擦力を受けることができるようになされていると共に、内周サイズは細軸部６の外周サイズよりも大きく設計されていて細軸部６との間に土収容部９が確保されるようになされている。
【００１６】
そして、図１（イ）（ロ）に示すように、筒体８が細軸部６の外周側に位置した状態でロッド部５の外周側へ移動するのを規制するため、ロッド部５の先端外周部には有底孔１０が設けられ、そこに第１ストッパーとしてのピン１１が設置され、該ピン１１はバネ１２で有底孔１０から突出する方向に付勢され、筒体８の基端周壁部に明けられた差込み孔１３に突出している。
【００１７】
また、図１（ハ）（ニ）に示すように、筒体８の差込み孔１３は、周壁の周方向の一方の側が解除手段として斜面１３ａに形成されていると共に、ピン１１の先端部の同じ側も解除手段として斜面１１ａに形成され、ロッド部５に一方向の回転の動きを与えると、ピン１１がバネ１２の付勢力に抗して筒体８の差込み孔１３から退出し、上記の規制が解除されて、筒体８がロッド部５の外周側へと移動することができるようになされている。
【００１８】
更に、筒体８が細軸部６の外周側から先端方向に抜けるのを規制するため、図１（ロ）に示すように、筒体８の基端部には、第２ストッパーとしての内向きの張出し部１４が備えられ、ピン１１が差込み孔１３から抜けた状態で、該張出し部１４がピン１１と係合することで、筒体８が細軸部６の外周側から先端方向に抜けてしまわないようにされている。
【００１９】
また、本実施形態では、図２（イ）に示すように、ロッド部５の基端側の外周部に第３ストッパーとしての外向きの張出し部１５が備えられ、ロッド部５の外周側に移動した筒体８の基端部が張出し部１５に当接することで、細軸部６が必要以上に筒体８の先端側に進出してしまうのを規制するようになされている。なお、５ａはネジ部で、スウェーデン式サウンディング試験機１の連結ロッド３に連結するためのものである。
【００２０】
上記の土サンプリング装置４では、図５（イ）に示すように、スウェーデン式サウンディング試験機１を用いて試験を実施したのち、サンプリングする深さ位置を決め、試験位置近傍に、同試験機１を用いて、図３（イ）に示すように、決められた深さ位置まで延びるサンプリング用の下孔１６を形成し、同試験機１をその下孔１６から抜く。
【００２１】
そして、試験機１の連結ロッド３からスクリューポイント２を外し、かわりに上記のサンプリング装置４を連結ロッド３に取り付け、サンプリング装置４は、ピン１１が差込み孔１３に差し込まれた状態にしておき、試験機１を操作して、サンプリング装置４を、図３（ロ）（ハ）に示すように、下孔１６に差し込んで、下孔１６の先端部に押し込む。これにより、周囲の土１７が筒体８の外周部に押し付けられて、筒体８は周囲の土１７で摩擦保持状態になる。
【００２２】
しかる後、図３（ハ）に示すように、試験機を操作することにより、ロッド部５を一方向に回してピン１１を差込み孔１３から抜き、図４（ニ）に示すように、ロッド部５を回転させながら圧入していく。すると、筒体８は周囲の土の摩擦保持力でその深さ位置に保持されたまま、細軸部６とオーガ７が更に深く地中に進出していく。そして、ロッド部５の張出し部１５が筒体８の上端部に当接した時点でロッド部５の回転圧入を停止し、試験機１を操作してロッド部５を引いていくと、図４（ホ）に示すように、オーガ７が上の土１８を連れて上昇していき、その土１８を筒体８の中に収容する。収容後、更にロッド部５を引いていくと、ピン１１が筒体８の内向き張出し部１４に当接し、ロッド部５が筒体８を連れて地上に取り出され、筒体８内に収容された土を取得することができる。こうして、所望の深さ位置に存在する土をサンプリングすることができる。
【００２３】
このように、上記の土サンプリング装置４では、ロッド部５を誘導操作していくだけで所望の深さ位置に存在する土１８を簡易にサンプリングすることができ、しかも、筒体８が備えられ、所望の深さ位置に存在する土を筒体８内に収容してサンプリングするようになされているので、サンプリング中に他の土が混ざることがなく、所望の深さ位置に存在する土を確実にサンプリングすることができる。加えて、上記の土サンプリング装置４は、スウェーデン式サウンディング試験機１の連結ロッド３に連結可能であるので、同試験機１で下孔１６を明けた後、試験機１のスクリューポイント２をサンプリング装置４と交換して、所望の深さ位置に存在する土のサンプリングを行うことができ、試験と併せて土のサンプリングを簡易に行っていくことができる。
【００２４】
以上に、本発明の実施形態を示したが、本発明はこれに限られるものではなく、発明思想を逸脱しない範囲で各種の変更が可能である。例えば、第１発明の土サンプリング装置は、スウェーデン式サウンディング試験機とは無関係の専用の土サンプリング装置として構成されていてもよい。また、第１，第２発明では、細軸部の先端部に限らず、細軸部の全長にわたって備えられていてもよいし、第１ストッパー、その解除手段、及び第２ストッパーの具体的構造や形態に制限はなく、それぞれに求められる機能を実現しうる構造や形態をしていればよい。また、第３発明では、土サンプリング装置のサンプリングのための具体的構造に制限はない。
【図面の簡単な説明】
【００２５】
【図１】実施形態の土サンプリング装置を示すもので、図（イ）は一部断面正面図、図（ロ）は第１ストッパー部分の構造を示す拡大正面図、図（ハ）は図（ロ）のＩ−Ｉ線断面図、図（ニ）は第１ストッパーの解除方法を示す同断面図である。
【図２】図（イ）は筒体をロッド部の外周側に移動させた状態の一部断面正面図、図（ロ）は筒体を細軸部の外周側に移動させた状態の一部断面正面図である。
【図３】図（イ）〜図（ハ）は、図４（ニ）（ホ）と共に、サンプリング方法を順次に示す断面正面図である。
【図４】図（ニ）及び図（ホ）は、図３（イ）〜（ハ）と共に、サンプリング方法を順次に示す断面正面図である。
【図５】図（イ）はスウェーデン式サウンディング試験機を示す正面図、図（ロ）はスクリューポイントを示す正面図である。
【符号の説明】
【００２６】
１…スウェーデン式サウンディング試験機
３…連結ロッド
４…土サンプリング装置
５…ロッド部
６…細軸部
７…オーガ
８…筒体
１１…ピン（第１ストッパー）
１１ａ…斜面（解除手段）
１３ａ…斜面（解除手段）
１４…張出し部（第２ストッパー）
１６…下孔
１８…サンプリング土
【図１】
2005282138.tif 000003
【図２】
2005282138.tif 000004
【図３】
2005282138.tif 000005
【図４】
2005282138.tif 000006
【図５】
2005282138.tif 000007